(57)【要約】【課題】異なるケーブルコネクタに対応するためにプリント基板上のＳＦＰトランシーバを差し替える必要がないコネクタを提供することである。【解決手段】本発明に係るコネクタは、プラグコネクタ１０４とレセプタクル１０３とを備え、プラグコネクタ１０４は、ＳＦＰトランシーバ１０５とケーブルコネクタ１０６とを備え、レセプタクル１０３は、プリント基板１０１の端部付近に実装されるＳＦＰ電気コネクタ１０２を備え、ＳＦＰトランシーバ１０５は、複数種類の形状の何れかに対応する個別コネクタ１５２を一端に、共通の形状をもつ共通コネクタ１５３を他端に備え、個別コネクタ１５２は対応するケーブルコネクタ１０６と接続し、共通コネクタ１５３はＳＦＰ電気コネクタ１０２と接続することを特徴とする。【選択図】図１
2012146534.tif 000002
【特許請求の範囲】
【請求項１】
プラグコネクタとレセプタクルとを備えるコネクタであって、
前記プラグコネクタは、
ＳＦＰトランシーバとケーブルコネクタとを備え、
前記レセプタクルは、
プリント基板の端部付近に実装されるＳＦＰ電気コネクタを備え、
前記ＳＦＰトランシーバは、
複数種類の形状の何れかに対応する個別コネクタを一端に、共通の形状をもつ共通コネクタを他端に備え、
前記個別コネクタは対応する前記ケーブルコネクタと接続し、前記共通コネクタは前記ＳＦＰ電気コネクタと接続すること
を特徴とするコネクタ。
【請求項２】
前記プラグコネクタは、
ハウジングを備え、
前記ＳＦＰトランシーバと前記ケーブルコネクタとは、前記ハウジング内部に格納されることを特徴とする請求項１に記載のコネクタ。
【請求項３】
前記レセプタクルは、
前記プリント基板の端部に実装される装置外部コネクタを備え、
前記ＳＦＰ電気コネクタは、前記プリント基板上の前記装置外部コネクタの内側に実装されることを特徴とする請求項１に記載のコネクタ。
【請求項４】
ＳＦＰトランシーバとケーブルコネクタとを備え、
前記ＳＦＰトランシーバは、
複数種類の形状の何れかに対応する個別コネクタを一端に、共通の形状をもつ共通コネクタを他端に備え、
前記個別コネクタは対応する前記ケーブルコネクタと接続し、前記共通コネクタはプリント基板上に実装されるＳＦＰ電気コネクタと接続すること
を特徴とするプラグコネクタ。
【発明の詳細な説明】
【技術分野】
【０００１】
本発明は、一般にコネクタおよびプラグコネクタに関し、特にＳＦＰトランシーバを備えるコネクタおよびプラグコネクタに関するものである。
【背景技術】
【０００２】
基地局等と外部回線網等との間の通信には、光ケーブルを用いた通信が広く採用されている。基地局等は、光ケーブルを用いた通信において光／電気変換をするために、また、各種ケーブルコネクタに対応するために、ＳＦＰ（Small Form Factor Pluggable）トランシーバを装置内で用いている。
【０００３】
図６（ａ）および（ｂ）に、従来技術において、ＳＦＰトランシーバ２０５が装置内のプリント基板２０１に実装される様子を示す。
【０００４】
図６（ａ）は、ＳＦＰトランシーバ２０５をプリント基板に実装する前の様子を示す。
ＳＦＰトランシーバ２０５は、個別コネクタ２５２および共通コネクタ２５３を備える。各種ケーブルコネクタに対応するため、個別コネクタ２５２はケーブルコネクタに対応する形状となる。共通コネクタ２５３は、ケーブルコネクタの形状に関らず共通の形状である。ケーブルコネクタには、ＬＣ型、ＳＣ型およびＲＪ４５型などの種類がある。光ケーブルを交換する際は、その光ケーブルのケーブルコネクタに対応する個別コネクタ２５２を有するＳＦＰトランシーバ２０５が選択されてプリント基板２０１に実装される。
【０００５】
また、図６（ａ）に示すように、プリント基板２０１上には、ＳＦＰ電気コネクタ２０２が実装される。ＳＦＰ電気コネクタ２０２は、各種ＳＦＰトランシーバ２０５に対して共通の形状であり、ＳＦＰトランシーバ２０５の共通コネクタ２５３が差し込まれて導通する。ＳＦＰ電気コネクタ２０２は、ＳＦＰトランシーバ実装用領域２２０の長さ分だけプリント基板端から内側に実装される。
【０００６】
図６（ａ）に示すように、ＳＦＰトランシーバ２０５は、装置外部コネクタ２１０のフランジ２６１を通して差し込まれ、プリント基板上のＳＦＰ電気コネクタ２０２と接続する。図６（ｂ）は、ＳＦＰトランシーバ２０５が、実際に、プリント基板上に実装されている様子を示す。
【０００７】
図７に、従来技術のコネクタを示す。ここで、用語「コネクタ」は、レセプタクルとプラグコネクタとを組み合わせたものを表す用語として使用する。また、従来技術においては、用語「レセプタクル」は、装置外部コネクタ２１０とＳＦＰトランシーバ２０５とＳＦＰ電気コネクタ２０２とを組み合わせたものを表す用語として使用する。ただし、図７は、装置外部コネクタ２１０とＳＦＰトランシーバ２０５の個別コネクタ２５２のみを図示している。コネクタは、プラグコネクタ２０４をレセプタクル２０３に嵌め込むことで、プラグコネクタ２０４とレセプタクル２０３とが接続される。
【０００８】
図８は、従来技術のコネクタを、プラグコネクタ２０４を断面図として示した図であり、一例として、ケーブルコネクタ２０６がＬＣ型の場合を示している。プラグコネクタ２０４は、ケーブルの特性に応じて各種ケーブルコネクタ２０６を有する。図９に、各種ケーブルコネクタ２０６を有するプラグコネクタ２０４の断面図を示す。図９（ａ）はＬＣ型、図９（ｂ）はＳＣ型、図９（ｃ）はＲＪ４５型の場合である。
【０００９】
上述のように、従来技術において光ケーブルを交換する際は、プリント基板２０１上のＳＦＰトランシーバ２０５を、その光ケーブルのケーブルコネクタ２０６に対応するＳＦＰトランシーバ２０５に差し替えることにより、レセプタクル２０３とプラグコネクタ２０４とを接続することができる。
【００１０】
また、同一のプリント基板により、光ケーブルの各種ケーブルコネクタとモジュラコネクタの両方に対応することができるコネクタ実装構造の発明も知られている（例えば、特許文献１参照）。
【先行技術文献】
【特許文献】
【００１１】
【特許文献１】特開２００８−０７７９２３号公報
【発明の概要】
【発明が解決しようとする課題】
【００１２】
図６（ａ）に示すように、従来技術は、ＳＦＰトランシーバ２０５を差し替えてプリント基板２０１上に実装することにより、各種ケーブルコネクタ２０６に対応することができる。しかし、この構成は、ＳＦＰトランシーバ実装用スペース２２０がプリント基板２０１上に必要となるため、プリント基板２０１の小型化の妨げとなる。
【００１３】
また、図６（ｂ）に示すように、ＳＦＰトランシーバ２０５の個別コネクタは、装置外部コネクタ２１０のフランジ２６１の内側に収まる。よって、フランジ２６１の内側には、ＳＦＰトランシーバ２０５の共通部に比べて大きい形状であるＳＦＰトランシーバ２０５の個別コネクタ２５２が収まらなければならない。さらに、ＳＦＰトランシーバ２０５の個別コネクタ２５２はケーブルコネクタによって大きさが異なるため、全てのケーブルコネクタに対応するには、フランジ２６１は、最大のケーブルコネクタに対応するＳＦＰトランシーバ２０５の個別コネクタ２５２が収まる大きさにしなければならない。したがって、フランジ２６１を大口径にする必要があり、装置の小型化および低コスト化の妨げとなる。
【００１４】
さらに、図６（ａ）に示すように、ケーブルコネクタに応じて、ＳＦＰトランシーバ２０５を差し替える必要があるため、光ケーブル交換の際にＳＦＰトランシーバ２０５の差し替えが必要となり、煩雑な作業が発生する。
【００１５】
したがって、かかる点に鑑みてなされた本発明の目的は、異なるケーブルコネクタに対応するためにプリント基板上のＳＦＰトランシーバを差し替える必要がなく、また、プリント基板およびレセプタクルのフランジの小型化を可能とするコネクタを提供することである。
【課題を解決するための手段】
【００１６】
上述した諸課題を解決すべく、本願発明によるコネクタは、
プラグコネクタとレセプタクルとを備えるコネクタであって、
前記プラグコネクタは、
ＳＦＰトランシーバとケーブルコネクタとを備え、
前記レセプタクルは、
プリント基板の端部付近に実装されるＳＦＰ電気コネクタを備え、
前記ＳＦＰトランシーバは、
複数種類の形状の何れかに対応する個別コネクタを一端に、共通の形状をもつ共通コネクタを他端に備え、
前記個別コネクタは対応する前記ケーブルコネクタと接続し、前記共通コネクタは前記ＳＦＰ電気コネクタと接続すること
を特徴とするものである。
【００１７】
また、前記プラグコネクタは、ハウジングを備え、前記ＳＦＰトランシーバと前記ケーブルコネクタとは、前記ハウジング内部に格納されることが望ましい。
【００１８】
また、前記レセプタクルは、前記プリント基板の端部に実装される装置外部コネクタを備え、前記ＳＦＰ電気コネクタは、前記プリント基板上の前記装置外部コネクタの内側に実装されることが望ましい。
【００１９】
また、本願発明によるプラグコネクタは、
ＳＦＰトランシーバとケーブルコネクタとを備え、
前記ＳＦＰトランシーバは、
複数種類の形状の何れかに対応する個別コネクタを一端に、共通の形状をもつ共通コネクタを他端に備え、
前記個別コネクタは対応する前記ケーブルコネクタと接続し、前記共通コネクタはプリント基板上に実装されるＳＦＰ電気コネクタと接続すること
を特徴とするものである。
【発明の効果】
【００２０】
本発明によれば、異なるケーブルコネクタに対応するためにプリント基板上のＳＦＰトランシーバを差し替える必要がなく、また、プリント基板およびレセプタクルのフランジの小型化を可能とするコネクタを提供することができる。
【図面の簡単な説明】
【００２１】
【図１】本発明の一実施形態に係るコネクタを示す図である。
【図２】ＳＦＰトランシーバを示す図である。
【図３】本発明の一実施形態に係るプリント基板に実装されたＳＦＰ電気コネクタを示す図である。
【図４】本発明の一実施形態に係るプラグコネクタを示す図である。
【図５】本発明の一実施形態に係るプラグコネクタの構造を示す図である。
【図６】従来のレセプタクルを示す図である。
【図７】従来のコネクタを示す図である。
【図８】従来のコネクタを示す図である。
【図９】従来のプラグコネクタを示す図である。
【発明を実施するための形態】
【００２２】
以下、本発明に係る一実施形態について、図面を参照して説明する。
【００２３】
図１は、本発明の一実施形態に係るコネクタを示す図であり、一例として、ケーブルコネクタ１０６の形状がＬＣ型である場合を示す。ここで、用語「コネクタ」は、従来技術の説明の場合と同様に、レセプタクルとプラグコネクタとを組み合わせたものを表す用語として使用する。また、本発明の一実施形態においては、用語「レセプタクル」は、装置外部コネクタ１１０と電気コネクタ１０２とを組み合わせたものを表す用語として使用する。
【００２４】
プラグコネクタ１０４は、ハウジング１０９と、ＳＦＰトランシーバ１０５と、ケーブルコネクタ１０６とを備える。ハウジング１０９は、内部にＳＦＰトランシーバ１０５およびケーブルコネクタ１０６を備える。ＳＦＰトランシーバ１０５は、図２（ａ）〜（ｃ）に示すように、一端に個別コネクタ１５２を備え、他端に共通コネクタ１５３を備える。個別コネクタ１５２は、（ａ）ＬＣ型、（ｂ）ＳＣ型、（ｃ）ＲＪ４５型のように、ケーブルコネクタ１０６に対応する形状であり、信号線１０７を介してケーブル１０８と接続する。共通コネクタ１５３は、全てのケーブルコネクタに対して共通の形状であり、プリント基板１０１に実装されたＳＦＰ電気コネクタ１０２と接続して導通する。プリント基板１０１上にＳＦＰトランシーバ１０５を実装しないため、ＳＦＰトランシーバ１０５の実装用領域を設ける必要がなく、ＳＦＰ電気コネクタ１０２は、図３に示すように、プリント基板１０１の端部付近に実装される。
【００２５】
装置外部コネクタ１１０は、プリント基板１０１の端部に実装される。装置外部コネクタ１１０は、フランジ１６１をその一部として備える。ＳＦＰ電気コネクタ１０２は、プリント基板１０１上の装置外部コネクタ１１０の内側の位置に実装され、ＳＦＰトランシーバ１０５と接続して導通する。
【００２６】
図４（ａ）〜（ｃ）は、本発明の一実施形態に係るプラグコネクタ１０４を示す図である。図４（ａ）はＬＣ型、図４（ｂ）はＳＣ型、図４（ｃ）はＲＪ４５型の場合を示す。図４（ａ）〜（ｃ）に示すように、ケーブルコネクタ１０６は、ＳＦＰトランシーバ１０５の個別コネクタ１５２と接続し、共通の形状である共通コネクタ１５３に変換される。したがって、プラグコネクタ１０４は、図４（ａ）〜（ｃ）のいずれの場合も、レセプタクル１０３と、そのまま接続することができる。
【００２７】
図５は、本発明の一実施形態に係るプラグコネクタ１０４におけるＳＦＰトランシーバ１０５を固定する構造を示す図である。プラグコネクタ１０４は、ＳＦＰトランシーバ１０５を固定するために、横位置固定金具１１１と、横位置保持構造１１２と、縦位置固定金具１１３と、縦位置保持構造１１４とを備える。横位置固定金具１１１は、ハウジング１０９の内側に固定され、横位置保持構造１１２は、ＳＦＰトランシーバ１０５の共通部１５１と横位置固定金具１１１の間に配置される。縦位置固定金具１１３は、ハウジング１０９の内側に固定され、縦位置保持構造１１４は、ＳＦＰトランシーバ１０５の個別コネクタ１５２と縦位置固定金具１１３の間に配置される。横位置保持構造１１２および縦位置保持構造１１４には、例えばスプリングやクッション材等が用いられ、プラグコネクタ１０４とＳＦＰ電気コネクタ１０２とを接続する際の位置ズレを吸収する。
【００２８】
このように、本実施形態によれば、異なるケーブルコネクタ１０６に対応するために、プリント基板１０１上でＳＦＰトランシーバ１０５を差し替えるなどの作業を実施する必要がない。
【００２９】
また、プリント基板１０１上にＳＦＰトランシーバ１０５の実装用領域を設ける必要がないため、プリント基板１０１を小型化することができる。
【００３０】
また、ＳＦＰトランシーバ１０５の個別コネクタ１５２がレセプタクル１０３のフランジ１６１の内側に配置されなくなるので、フランジ１６１の口径を小さくすることができ、レセプタクル１０３を小型化することができる。
【００３１】
また、ケーブルコネクタ１０６が異なる形状に変わっても、ＳＦＰトランシーバ１０５を差し替える必要がないため、作業性が向上する。
【００３２】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、上述の実施例では、ＳＦＰトランシーバを例として用いているが、同様の変換機能を有するものであれば、ＳＦＰトランシーバ以外を用いてもよい。
【符号の説明】
【００３３】
１０１  プリント基板
１０２  ＳＦＰ電気コネクタ
１０３  レセプタクル
１０４  プラグコネクタ
１０５  ＳＦＰトランシーバ
１０６  ケーブルコネクタ
１０７  信号線
１０８  ケーブル
１０９  ハウジング
１１０  装置外部コネクタ
１１１  横位置固定金具
１１２  横位置保持構造
１１３  縦位置固定金具
１１４  縦位置保持構造
１５１  共通部
１５２  個別コネクタ
１５３  共通コネクタ
１６１  フランジ
【図１】
2012146534.tif 000003
【図２】
2012146534.tif 000004
【図３】
2012146534.tif 000005
【図４】
2012146534.tif 000006
【図５】
2012146534.tif 000007
【図６】
2012146534.tif 000008
【図７】
2012146534.tif 000009
【図８】
2012146534.tif 000010
【図９】
2012146534.tif 000011